【手続補正書】
【提出日】平成19年6月28日(2007.6.28)
【手続補正１】
【補正対象書類名】明細書
【補正対象項目名】特許請求の範囲
【補正方法】変更
【補正の内容】
【特許請求の範囲】
【請求項１】
印刷データを出力する情報処理装置及び当該情報処理装置からの印刷データを受信して、カラー画像を所定の記録紙に記録する印刷装置で構成される印刷システムであって、
前記情報処理装置は、
上位処理から渡された印刷すべきデータに基づいて、記録色成分毎のイメージデータを生成する生成手段と、
該生成手段で生成された各記録色成分毎のイメージデータを圧縮符号化する符号化手段と、
該符号化手段による各記録色成分の符号化データ量の比率に基づき、メモリの割り当て比率情報を生成し、前記印刷装置に通知する通知手段と、
前記符号化手段で符号化した各色成分のイメージデータを前記印刷装置に向けて出力する出力手段とを備え、
前記印刷装置は、
前記出力手段で出力された各色成分の圧縮符号化したイメージデータを格納する受信バッファと、
各色成分毎に独立し、符号化データをイメージデータに復号する複数の復号手段と、
前記受信バッファの各色成分毎に割り当てるサイズを、前記メモリの割り当て比率情報に従って設定する手段とを備える
ことを特徴とする印刷システム。
【請求項２】
各色成分に割り当てられる前記受信バッファの各領域は、リングバッファとして利用されることを特徴とする請求項１に記載の印刷システム。
【請求項３】
前記生成手段は、１記録色成分の１画素当たり８ビットのイメージデータを、８ビットより少ないビット数に量子化するためのディザ処理手段を含むことを特徴とする請求項１又は２に記載の印刷システム。
【請求項４】
更に、文字線画用、中間調画像用のディザマトリクスパターンの組を各色成分毎に定義したテーブルを複数有し、いずれのテーブルを用いるかを指定する指定手段を備えることを特徴とする請求項３に記載の印刷システム。
【請求項５】
前記通知手段は、使用するテーブル、及び、各記録色成分毎の中間調画像、文字線画のサイズに基づいて、各色成分毎の符号化データ量を予測することを特徴とする請求項４に記載の印刷システム。
【請求項６】
前記通知手段は、使用するテーブルに従って、各記録色成分毎の中間調画像、文字線画を量子化して得たデータ量を計数することで、各色成分毎の符号化データ量を算出することを特徴とする請求項４に記載の印刷システム。
【請求項７】
更に、前記情報処理装置は、前記印刷装置に対し、前記受信バッファの状態情報を要求する要求手段と、
該要求手段によって取得した状態情報に基づき、各記録色成分の受信バッファの空きエリアに、次ページの前記録色成分の圧縮データを格納できるか否かを判定する判定手段と、
該判定手段によって格納できると判定した場合、前記通知手段で通知しようとしているメモリの割り当て比率情報を削除し、前記出力手段を行わせる制御手段と
を備えることを特徴とする請求項６に記載の印刷システム。
【請求項８】
外部からの指示情報に従って、受信バッファメモリの各色成分毎に割り当てるサイズを変更する印刷装置を接続可能とし、前記印刷装置に印刷データを出力する情報処理装置であって、
上位処理から渡された印刷すべきデータに基づいて、記録色成分毎のイメージデータを生成する生成手段と、
該生成手段で生成された各記録色成分毎のイメージデータを圧縮符号化する符号化手段と、
該符号化手段による各記録色成分の符号化データ量の比率に基づき、メモリの割り当て比率情報を生成し、前記印刷装置に前記指示情報として通知する通知手段と、
前記符号化手段で符号化した各色成分のイメージデータを前記印刷装置に向けて出力する出力手段と
を備えることを特徴とする情報処理装置。
【請求項９】
前記生成手段は、１記録色成分の１画素当たり８ビットのイメージデータを、８ビットより少ないビット数に量子化するためのディザ処理手段を含むことを特徴とする請求項８に記載の情報処理装置。
【請求項１０】
更に、文字線画用、中間調画像用のディザマトリクスパターンの組を各色成分毎に定義したテーブルを複数有し、いずれのテーブルを用いるかを指定する指定手段を備えることを特徴とする請求項９に記載の情報処理装置。
【請求項１１】
前記通知手段は、使用するテーブル、及び、各記録色成分毎の中間調画像、文字線画のサイズに基づいて、各色成分毎の符号化データ量を予測することを特徴とする請求項１０に記載の情報処理装置。
【請求項１２】
前記通知手段は、使用するテーブルに従って、各記録色成分毎の中間調画像、文字線画を量子化して得たデータ量を計数することで、各色成分毎の符号化データ量を算出することを特徴とする請求項１０に記載の情報処理装置。
【請求項１３】
更に、前記情報処理装置は、前記印刷装置に対し、前記受信バッファの状態情報を要求する要求手段と、
該要求手段によって取得した状態情報に基づき、各記録色成分の受信バッファの空きエリアに、次ページの前記録色成分の圧縮データを格納できるか否かを判定する判定手段と、
該判定手段によって格納できると判定した場合、前記通知手段で通知しようとしているメモリの割り当て比率情報を削除し、前記出力手段を行わせる制御手段と
を備えることを特徴とする請求項１２に記載の情報処理装置。
【請求項１４】
外部からの指示情報に従って、受信バッファメモリの各色成分毎に割り当てるサイズを変更する印刷装置を接続可能とし、前記印刷装置に印刷データを出力する情報処理装置の制御方法であって、
上位処理から渡された印刷すべきデータに基づいて、記録色成分毎のイメージデータを生成する生成工程と、
該生成工程で生成された各記録色成分毎のイメージデータを圧縮符号化する符号化工程と、
該符号化工程による各記録色成分の符号化データ量の比率に基づき、メモリの割り当て比率情報を生成し、前記印刷装置に前記指示情報として通知する通知工程と、
前記符号化工程で符号化した各色成分のイメージデータを前記印刷装置に向けて出力する出力工程と
を備えることを特徴とする情報処理装置の制御方法。
【請求項１５】
外部からの指示情報に従って受信バッファメモリの各色成分毎に割り当てるサイズを変更する印刷装置を接続可能とし、前記印刷装置に印刷データを出力する情報処理装置が読み込み実行するプリンタドライバプログラムであって、
上位処理から渡された印刷すべきデータに基づいて、記録色成分毎のイメージデータを生成する生成手段と、
該生成手段で生成された各記録色成分毎のイメージデータを圧縮符号化する符号化手段と、
該符号化手段による各記録色成分の符号化データ量の比率に基づき、メモリの割り当て比率情報を生成し、前記印刷装置に前記指示情報として通知する通知手段と、
前記符号化手段で符号化した各色成分のイメージデータを前記印刷装置に向けて出力する出力手段
として機能することを特徴とするプリンタドライバプログラム。
【請求項１６】
請求項１５に記載のプリンタドライバプログラムを格納したことを特徴とするコンピュータ可読記憶媒体。
【手続補正２】
【補正対象書類名】明細書
【補正対象項目名】０００７
【補正方法】変更
【補正の内容】
【０００７】
【課題を解決するための手段】
この課題を解決するため、例えば本発明の印刷システムは以下のような構成を備える。すなわち、
印刷データを出力する情報処理装置及び当該情報処理装置からの印刷データを受信して、カラー画像を所定の記録紙に記録する印刷装置で構成される印刷システムであって、
前記情報処理装置は、
上位処理から渡された印刷すべきデータに基づいて、記録色成分毎のイメージデータを生成する生成手段と、
該生成手段で生成された各記録色成分毎のイメージデータを圧縮符号化する符号化手段と、
該符号化手段による各記録色成分の符号化データ量の比率に基づき、メモリの割り当て比率情報を生成し、前記印刷装置に通知する通知手段と、
前記符号化手段で符号化した各色成分のイメージデータを前記印刷装置に向けて出力する出力手段とを備え、
前記印刷装置は、
前記出力手段で出力された各色成分の圧縮符号化したイメージデータを格納する受信バッファと、
各色成分毎に独立し、符号化データをイメージデータに復号する複数の復号手段と、
前記受信バッファの各色成分毎に割り当てるサイズを、前記メモリの割り当て比率情報に従って設定する手段とを備える。